【手続補正書】
【提出日】平成30年8月22日(2018.8.22)
【手続補正１】
【補正対象書類名】明細書
【補正対象項目名】０００９
【補正方法】変更
【補正の内容】
【０００９】
本発明にかかる画像処理は、画像の色を表す第一の画像データと、前記画像の特徴を表す第二の画像データと、を取得し、前記第一の画像データを色分解することにより、第一の色材量を表す第一の色材量データと、該第一の色材量よりも淡色材の色材量を多く含む第二の色材量を表す第二の色材量データと、を生成し、前記第二の画像データに基づいて前記第一の色材量データを補正することにより第一の補正色材量データを生成し、前記第二の画像データに基づいて前記第二の色材量データを補正することにより第二の補正色材量データを生成し、前記第一の補正色材量データおよび前記第二の補正色材量データに基づいて、記録媒体上に記録する色材のドットの記録位置を示す画像形成データを生成する。
【手続補正２】
【補正対象書類名】特許請求の範囲
【補正対象項目名】全文
【補正方法】変更
【補正の内容】
【特許請求の範囲】
【請求項１】
画像の色を表す第一の画像データと、前記画像の特徴を表す第二の画像データと、を取得する取得手段と、
前記第一の画像データを色分解することにより、第一の色材量を表す第一の色材量データと、該第一の色材量よりも淡色材の色材量を多く含む第二の色材量を表す第二の色材量データと、を生成する色分解手段と、
前記第二の画像データに基づいて前記第一の色材量データを補正することにより第一の補正色材量データを生成し、前記第二の画像データに基づいて前記第二の色材量データを補正することにより第二の補正色材量データを生成する第一の補正手段と、
前記第一の補正色材量データおよび前記第二の補正色材量データに基づいて、記録媒体上に記録する色材のドットの記録位置を示す画像形成データを生成する第一の生成手段と
を有することを特徴とする画像処理装置。
【請求項２】
前記画像の特徴は光沢の度合いであり、前記第一の色材量データは高光沢を表現するための高光沢色材量データであり、前記第二の色材量データは低光沢を表現するための低光沢色材量データであることを特徴とする請求項１に記載された画像処理装置。
【請求項３】
前記色分解手段は、濃色材を多用する色分解特性のテーブルを参照して前記低光沢色材量データを生成し、淡色材を多用する色分解特性のテーブルを参照して前記高光沢色材量データを生成することを特徴とする請求項２に記載された画像処理装置。
【請求項４】
前記第二の画像データの画素値を反転させた反転データを生成する第二の生成手段をさらに有し、
前記第一の補正手段は、さらに前記反転データに基づいて、前記第一の補正色材量データおよび前記第二の補正色材量データを生成することを特徴とする請求項２または請求項３に記載された画像処理装置。
【請求項５】
前記第一の補正手段は、前記低光沢色材量データと前記反転データの画素ごとの乗算結果を階調数に基づき正規化した前記第一の補正色材量データを生成し、前記高光沢色材量データと前記第二の画像データの画素ごとの乗算結果を前記階調数に基づき正規化した前記第二の補正色材量データを生成することを特徴とする請求項４に記載された画像処理装置。
【請求項６】
前記画像の特徴は尖鋭度であり、前記第一の色材量データは低尖鋭性を表現するための色材量データであり、前記第二の色材量データは高尖鋭性を表現するための色材量データであることを特徴とする請求項１に記載された画像処理装置。
【請求項７】
前記第一の補正手段は、前記第二の画像データに応じた前記第一の色材量と前記第二の色材量との比率に基づいて前記第一の色材量データを補正することにより前記第一の補正色材量データを生成し、前記第二の画像データに応じた前記第一の色材量と前記第二の色材量との比率に基づいて前記第二の色材量データを補正することにより前記第二の補正色材量データを生成することを特徴とする請求項１から請求項６の何れか一項に記載された画像処理装置。
【請求項８】
前記第一の生成手段は、前記第一の補正色材量データに基づいて第一の画像形成データを生成し、前記第二の補正色材量データに基づいて第二の画像形成データを生成し、前記第一の画像形成データと前記第二の画像形成データとに基づいて、画像形成装置に出力する第三の画像形成データを生成することを特徴とする請求項１から請求項７の何れか一項に記載された画像処理装置。
【請求項９】
前記第一の生成手段は、前記第二の画像形成データの生成において、前記画像形成装置の記録走査におけるドットの数を決定し、ディザマトリクスのセルの値に基づいて前記ドットの記録位置を決定することを特徴とする請求項８に記載された画像処理装置。
【請求項１０】
前記第一の生成手段は、前記第一の画像形成データの生成において、前記画像形成装置の記録走査におけるドットの数を決定し、前記ディザマトリクスのセルの値に基づいて前記ドットの記録位置を決定し、決定した前記ドットの記録位置に対応する前記ディザマトリクスのセルの値を更新することを特徴とする請求項９に記載された画像処理装置。
【請求項１１】
前記第一の生成手段は、前記第二の画像形成データの生成において、前記画像形成装置の記録走査におけるドットの数を決定し、ディザマトリクスのセルの値に基づいて前記ドットの記録位置を決定し、決定した前記ドットの記録位置に対応する前記ディザマトリクスのセルの値を更新することを特徴とする請求項８に記載された画像処理装置。
【請求項１２】
前記第一の生成手段は、前記第一の画像形成データの生成において、前記画像形成装置の記録走査におけるドットの数を決定し、前記第二の画像形成データの生成において更新された前記ディザマトリクスのセルの値に基づいて前記ドットの記録位置を決定し、決定した前記ドットの記録位置に対応する前記ディザマトリクスのセルの値を更新することを特徴とする請求項１１に記載された画像処理装置。
【請求項１３】
前記ディザマトリクスのセルの値の更新は、該セルの値に前記ディザマトリクスのセル数を加算することによって行われることを特徴とする請求項１０から請求項１２の何れか一項に記載された画像処理装置。
【請求項１４】
前記第一の生成手段は、ドットが前記画像形成装置の各記録走査に分散するように前記第二の画像形成データを生成し、ドットが前記画像形成装置の一部の記録走査に偏るように前記第一の画像形成データを生成することを特徴とする請求項８に記載された画像処理装置。
【請求項１５】
前記第一の生成手段は、前記第一の画像形成データの画素値と前記第二の画像形成データの画素値との論理和を画素値とする前記第三の画像形成データを生成し、前記第三の画像形成データには前記第一の画像形成データが示すドットの記録位置と前記第二の画像形成データが示すドットの記録位置とが混在することを特徴とする請求項８から請求項１４の何れか一項に記載された画像処理装置。
【請求項１６】
前記第一の画像データとして取得された色画像データに対応する光沢再現範囲に基づいて、前記第二の画像データとして取得された光沢画像データを補正する第二の補正手段をさらに有することを特徴とする請求項２から請求項５の何れか一項に記載された画像処理装置。
【請求項１７】
前記第二の補正手段は、前記色画像データごとに再現可能な、最小の光沢画像データに対応する低光沢値と、最大の光沢画像データに対応する高光沢値と、を示す光沢再現範囲テーブルを用いて前記光沢画像データを補正することを特徴とする請求項１６に記載された画像処理装置。
【請求項１８】
前記第二の補正手段は、前記光沢再現範囲テーブルから取得した、前記低光沢値の最小値、前記高光沢値の最大値、注目画素の前記色画像データに対応する低光沢値および高光沢値、並びに、前記光沢画像データの最大値に基づいて、前記注目画素の前記光沢画像データを補正することを特徴とする請求項１７に記載された画像処理装置。
【請求項１９】
前記色画像データを補正して低光沢画像データおよび高光沢画像データを生成する第三の補正手段をさらに有し、
前記色分解手段は、前記低光沢画像データを前記低光沢色材量データに色分解し、前記高光沢画像データを前記高光沢色材量データに色分解することを特徴とする請求項１６から請求項１８の何れか一項に記載された画像処理装置。
【請求項２０】
前記第一の生成手段は、前記第一の補正色材量データに基づいて第一の画像形成データを生成し、前記第二の補正色材量データに基づいて第二の画像形成データを生成し、
前記第二の補正手段および前記第三の補正手段は、前記色画像データと前記光沢画像データとが示す色と光沢との組み合わせと、前記第一の画像形成データに対応する色と光沢の再現範囲と、前記第二の画像形成データに対応する色と光沢の再現範囲と、の間の対応関係を示す色光沢テーブルを用いて補正を行うことを特徴とする請求項１９に記載された画像処理装置。
【請求項２１】
前記色光沢テーブルは、前記色と光沢との組み合わせと、前記第一の画像形成データに対応する色と光沢の再現範囲の光沢画像データおよび前記第二の画像形成データに対応する色と光沢の再現範囲の光沢画像データと、の対応関係を示す第一のテーブル、および、前記色と光沢との組み合わせと、前記第一の画像形成データに対応する色と光沢の再現範囲の色画像データおよび前記第二の画像形成データに対応する色と光沢の再現範囲の色画像データと、の対応関係を示す第二のテーブルを有し、
前記第一のテーブルは前記第二の補正手段による補正に用いられ、前記第二のテーブルは前記第三の補正手段による補正に用いられることを特徴とする請求項２０に記載された画像処理装置。
【請求項２２】
各画素に色情報を有する画像を表す画像データを取得する取得手段と、
前記画像データを色分解することにより、第一の色材量を前記各画素に有する第一の色材量データと、前記第一の色材量よりも淡色材の色材量を多く含む第二の色材量を前記各画素に有する第二の色材量データと、を生成する色分解手段と、
前記第一の色材量データに基づいて、色材のドットが画像形成装置の一部の記録走査に偏るように、前記ドットの記録位置を表す第一の画像形成データを生成し、前記第二の色材量データに基づいて、色材のドットが前記画像形成装置の各記録走査に分散するように、前記ドットの記録位置を表す第二の画像形成データを生成し、前記第一の画像形成データと前記第二の画像形成データとに基づいて、前記画像形成装置に出力する第三の画像形成データを生成する生成手段と
を有することを特徴とする画像処理装置。
【請求項２３】
請求項２２に記載された画像処理装置からの情報を受信できる前記画像形成装置であって、
前記生成手段によって生成された前記第三の画像形成データを受信する受信手段と、
前記受信手段により受信された前記第三の画像形成データに基づいて、記録媒体上に前記画像を形成する形成手段と
を有することを特徴とする画像形成装置。
【請求項２４】
請求項１から請求項２１の何れか一項に記載された画像処理装置を有し、
前記第一の生成手段によって生成されたデータに基づいて、前記記録媒体上に前記画像を形成することを特徴とする画像形成装置。
【請求項２５】
画像の色を表す第一の画像データと、前記画像の特徴を表す第二の画像データと、を取得し、
前記第一の画像データを色分解することにより、第一の色材量を表す第一の色材量データと、該第一の色材量よりも淡色材の色材量を多く含む第二の色材量を表す第二の色材量データと、を生成し、
前記第二の画像データに基づいて前記第一の色材量データを補正することにより第一の補正色材量データを生成し、前記第二の画像データに基づいて前記第二の色材量データを補正することにより第二の補正色材量データを生成し、
前記第一の補正色材量データおよび前記第二の補正色材量データに基づいて、記録媒体上に記録する色材のドットの記録位置を示す画像形成データを生成する
ことを特徴とする画像処理方法。
【請求項２６】
各画素に色情報を有する画像を表す画像データを取得し、
前記画像データを色分解することにより、第一の色材量を前記各画素に有する第一の色材量データと、前記第一の色材量よりも淡色材の色材量を多く含む第二の色材量を前記各画素に有する第二の色材量データと、を生成し、
前記第一の色材量データに基づいて、色材のドットが画像形成装置の一部の記録走査に偏るように、前記ドットの記録位置を表す第一の画像形成データを生成し、前記第二の色材量データに基づいて、色材のドットが前記画像形成装置の各記録走査に分散するように、前記ドットの記録位置を表す第二の画像形成データを生成し、前記第一の画像形成データと前記第二の画像形成データとに基づいて、前記画像形成装置に出力する第三の画像形成データを生成する
ことを特徴とする画像処理方法。
【請求項２７】
コンピュータを請求項１から請求項２２の何れか一項に記載された画像処理装置の各手段として機能させるためのプログラム。
【手続補正３】
【補正対象書類名】図面
【補正対象項目名】図１５
【補正方法】変更
【補正の内容】
【図１５】
2017043019.tif 000001